(57)【要約】  ＷＬＡＮ装置１２とＢＴ装置１３とを備える複合無線装置１であって、ＷＬＡＮチャネルの通信品質情報に基づいてＢＴ装置１３の周波数ホッピングに用いることができる使用可能ＦＨチャネルを決定してＢＴ装置１３へ通知する無線チャネル制御部１４と、使用可能周波数帯以外の周波数帯である拡張周波数帯の通信品質情報を拡張通信品質情報として取得するＢＴ通信制御部１３２と、を備え、無線チャネル制御部１４は、拡張通信品質情報に基づいて未使用と判断したＷＬＡＮチャネル内のＦＨチャネルを使用可能ＦＨチャネルとして追加する。
2012114937.tif 000002
【特許請求の範囲】
【請求項１】
複数の第１の周波数帯のうちの選択した第１の周波数帯を用いて無線通信を行う第１の通信装置と、前記第１の周波数帯と重複する利用周波数帯域内の複数の第２の周波数帯を用いて周波数ホッピングにより通信を行う第２の通信装置と、を備える無線通信装置であって、
前記第１の周波数帯の通信品質情報に基づいて前記周波数ホッピングに用いることができる第２の周波数帯である使用可能周波数帯を決定し、前記使用可能周波数帯を前記第２の通信装置へ通知する無線チャネル制御部と、
前記使用可能周波数帯以外の周波数帯である拡張周波数帯の通信品質情報を拡張通信品質情報として取得する拡張品質情報取得部と、
を備え、
前記無線チャネル制御部は、前記拡張通信品質情報に基づいて未使用と判断した第１の周波数帯内の第２の周波数帯を前記使用可能周波数帯として追加する、
ことを特徴とする無線通信装置。
【請求項２】
前記第２の通信装置が、前記拡張品質情報取得部を備える、
ことを特徴とする請求項１に記載の無線通信装置。
【請求項３】
前記拡張周波数帯を、前記使用可能周波数帯と周波数が重複しない第１の周波数帯の中心周波数に近い１つの第２の周波数帯とする、ことを特徴とする請求項２に記載の無線通信装置。
【請求項４】
前記拡張周波数帯を、前記使用可能周波数帯と周波数が重複しない第１の周波数帯の中心周波数から一定周波数離れた１つの第２の周波数帯とする、ことを特徴とする請求項２に記載の無線通信装置。
【請求項５】
前記拡張周波数帯を、前記使用可能周波数帯と周波数が重複しない第１の周波数帯の中心周波数近傍の２つ以上の第２の周波数帯とする、ことを特徴とする請求項２に記載の無線通信装置。
【請求項６】
前記拡張周波数帯を、全ての第２の周波数帯のうち前記使用可能周波数帯と周波数が重複しない全ての第２の周波数帯とする、ことを特徴とする請求項２に記載の無線通信装置。
【請求項７】
前記拡張品質情報取得部は、前記拡張周波数帯で探索フレームを送信し、前記探索フレームに対する応答に基づいて前記拡張通信品質情報を取得する、ことを特徴とする請求項２〜６のいずれか１つに記載の無線通信装置。
【請求項８】
前記拡張品質情報取得部は、前記拡張周波数帯に対応する前記第１の周波数帯の通信品質情報に基づいて、当該第１の周波数帯を用いた第１の通信に誤りが発生しないと想定される送信電力で前記探索フレームを送信する、ことを特徴とする請求項７に記載の無線通信装置。
【請求項９】
前記拡張品質情報取得部は、一定周期ごとに、所定の時間の間前記拡張通信品質情報を取得可能な探索状態へ移行する、ことを特徴とする請求項１〜８のいずれか１つに記載の無線通信装置。
【請求項１０】
前記一定周期を、前記拡張周波数帯、前記第２の通信装置のトラフィック量のうち少なくとも１つに基づいて決定する、ことを特徴とする請求項９に記載の無線通信装置。
【請求項１１】
前記所定の時間を、前記拡張周波数帯、前記第２の通信装置のトラフィック量のうち少なくとも１つに基づいて決定する、ことを特徴とする請求項９または１０に記載の無線通信装置。
【請求項１２】
前記拡張品質情報取得部は、前記使用可能周波数帯とされた第２の周波数帯の数が所定のしきい値未満となった場合、または前記使用可能周波数帯とされた第２の周波数帯の無線品質が劣化した場合に、前記拡張通信品質情報を取得する、ことを特徴とする請求項１〜１１のいずれか１つに記載の無線通信装置。
【請求項１３】
前記拡張品質情報取得部は、前記第１の通信装置が使用している第１の周波数帯の無線通信品質が劣化した場合に前記拡張通信品質情報を取得する、ことを特徴とする請求項１〜１１のいずれか１つに記載の無線通信装置。
【請求項１４】
前記第１の通信装置が、前記拡張品質情報取得部を備える、
ことを特徴とする請求項１に記載の無線通信装置。
【請求項１５】
前記無線チャネル制御部は、前記使用可能周波数帯とされた第２の周波数帯の数が所定のしきい値未満の場合、前記第１の通信装置が使用している第１の周波数帯を、前記第１の通信装置と前記第２の通信装置とに交互に割当てることとし、
前記拡張品質情報取得部は、当該第１の周波数帯が前記第２の通信装置に割当てられている時間帯で前記拡張品質情報を取得する、ことを特徴とする請求項１４に記載の無線通信装置。
【請求項１６】
複数の第１の周波数帯を用いて無線通信を行う第１の通信装置と、前記第１の周波数帯と重複する利用周波数帯域内の複数の第２の周波数帯を用いて周波数ホッピングにより通信を行う第２の通信装置と、を備える無線通信システムであって、
前記第１の周波数帯の通信品質情報に基づいて前記周波数ホッピングに用いることができる第２の周波数帯である使用可能周波数帯を決定し、前記使用可能周波数帯を前記第２の通信装置へ通知する無線チャネル制御装置、
を備え、
前記第１の通信装置は、前記使用可能周波数帯以外の周波数帯である拡張周波数帯の通信品質情報を拡張通信品質情報として取得する拡張品質情報取得部、を備え、
前記無線チャネル制御部は、前記拡張通信品質情報に基づいて未使用と判断した第１の周波数帯内の第２の周波数帯を前記使用可能周波数帯として追加する、
ことを特徴とする無線通信システム。
【請求項１７】
複数の第１の周波数帯を用いて無線通信を行う第１の通信装置と、前記第１の周波数帯と重複する利用周波数帯域内の複数の第２の周波数帯を用いて周波数ホッピングにより通信を行う第２の通信装置と、を備える無線通信システムであって、
前記第１の周波数帯の通信品質情報に基づいて前記周波数ホッピングに用いることができる第２の周波数帯である使用可能周波数帯を決定し、前記使用可能周波数帯を前記第２の通信装置へ通知する無線チャネル制御装置、
を備え、
前記第２の通信装置は、前記使用可能周波数帯以外の周波数帯である拡張周波数帯の通信品質情報を拡張通信品質情報として取得する拡張品質情報取得部、を備え、
前記無線チャネル制御部は、前記拡張通信品質情報に基づいて未使用と判断した第１の周波数帯内の第２の周波数帯を前記使用可能周波数帯として追加する、
ことを特徴とする無線通信システム。
【請求項１８】
複数の第１の周波数帯を用いて無線通信を行う第１の通信装置と、前記第１の周波数帯と重複する利用周波数帯域内の複数の第２の周波数帯を用いて周波数ホッピングにより通信を行う第２の通信装置と、を備える無線通信装置における周波数割当方法であって、
前記第１の周波数帯の通信品質情報に基づいて前記周波数ホッピングに用いることができる第２の周波数帯である使用可能周波数帯を決定し、前記使用可能周波数帯を前記第２の通信装置へ通知する第１のステップと、
前記使用可能周波数帯以外の周波数帯である拡張周波数帯の通信品質情報を拡張通信品質情報として取得する第２のステップと、
前記拡張通信品質情報に基づいて未使用と判断した第１の周波数帯内の第２の周波数帯を前記使用可能周波数帯として追加する第３のステップと、
を含むことを特徴とする周波数割当方法。
【発明の詳細な説明】
【技術分野】
【０００１】
本発明は、無線通信装置、無線通信システムおよび周波数割当方法に関する。
【背景技術】
【０００２】
ＩＳＭ（Industry  Science  Medical）バンドと呼ばれる２．４ＧＨｚ帯は電波法に定められた基準を満たせばユーザーが免許不要で無線機器を使用できる。このため、無線ＬＡＮ（Local  Area  Network）(ＩＥＥＥ（The  Institute  of  Electrical  and  Electronics  Engineers）８０２．１１ｂ／ｇ／ｈ)、Bluetooth（登録商標）、コードレス電話等の２．４ＧＨｚ帯を用いた無線装置が近年盛んに開発されている。【０００３】
ＩＥＥＥ８０２．１１ｂ／ｇ／ｈに準拠する無線装置（以下、ＷＬＡＮ（Wireless  ＬＡＮ）装置という）では、耐ノイズ性を考慮して、直接拡散方式のスペクトル拡散（Direct  Sequence  Spread  Spectrum：ＤＳＳＳ）やＯＦＤＭ（Orthogonal  Frequency  Division  Multiplexing）技術が導入されている。その際、２．４ＧＨｚ帯のＩＳＭバンド内の既定された１４個のチャネル（１つのチャネルはBluetooth（登録商標）装置のほぼ２０チャネル分に相当する占有周波数帯域幅）の１つを固定的に使用して通信を行う。【０００４】
また、他ネットワークあるいは他システムとの相互運用性を考慮して、各々の無線端末が、無線パケット送信に先立って無線チャネルをキャリアセンスし、チャネルが使用中であること（チャネルビジー）を確認した場合は無線パケットの送信を控え、予めフレーム種別毎に決められたチャネル未使用（チャネルアイドル）時間とバックオフ時間後に、無線パケットを送信する無線アクセス方式ＣＳＭＡ／ＣＡ（Carrier  Sense  Multiple  Access  with  Collision  Avoidance）が主に導入されている。【０００５】
Bluetooth（登録商標）対応の無線通信装置（以下、ＢＴ装置という）では、同様に耐ノイズ性を考慮しているが、周波数ホッピング方式のスペクトル拡散（Frequency  Hopping  Spread  Spectrum：ＦＨＳＳ）技術が導入されている。また、２．４０ＧＨｚから２．４８ＧＨｚまでの周波数帯内の定められた１ＭＨｚ幅の７９個の周波数チャネル（以下、ＦＨチャネルという）のうちから１つのＦＨチャネルを選択し時間経過と共に切り替えて無線通信を行う周波数ホッピング方式を採用している。この周波数ホッピング方式は、予め決められた擬似ランダムアルゴリズムに基づいて一定時間間隔（例えば６２５μｓ）で繰り返すようにＦＨチャネル選択を行い、１つのＦＨチャネルに１パケットデータを割り当てて通信を行う。【０００６】
したがって、同じ２．４ＧＨｚ帯を使用して通信するＢＴ装置とＷＬＡＮ装置がお互いの通信エリア内に存在すると、互いが送出する電波が干渉しあいお互いの通信を妨害することになる。この電波干渉を回避する方法として適応周波数ホッピング（Adaptive  Frequency  Hopping：ＡＦＨ）という技術が下記特許文献１や特許文献２に開示されている。この技術は、ＢＴ装置において、送信中のビットエラーレート（Bit  Error  Rate：ＢＥＲ）やパケットエラーレート（Packet  Error  Rate：ＰＥＲ）等を測定したり、ＢＴ装置間で通信していないスロットにおける受信信号強度を測定したりすることにより、ＢＴ装置側のＦＨチャネルの品質（ＷＬＡＮ装置などのほかのシステムからの障害の受けやすさ）を観測し、自身の通信を妨害する電波があると判断したＦＨチャネルを避けて周波数ホッピングを行うことで、ＷＬＡＮ等の他システムからの干渉を防ぐ技術である。【０００７】
例えば、ＡＦＨ技術では、自身の通信を妨害する電波がないと判断したＦＨチャネルを「良好チャネル：Good」、自身の通信を妨害する電波があると判断したＦＨチャネルを「不良チャネル：Bad」、判定不可能なチャネルについては「不明チャネル：Unknown」として、AFH＿channel＿mapおよびAFH＿channel＿classificationに保持する。そして、マスター局（親局）とスレーブ局（子局）との間でLink  Manager  ProtocolであるLMP＿set＿AFH等を利用してＦＨチャネルを共有することにより、ＢＴ装置は可能な限り良好なＦＨチャネルを利用して通信する。【０００８】
しかしながら、上記の従来のＡＦＨ技術はＢＴ装置側の品質のみを考慮して実施されるため、ＢＴ装置間の通信には支障をきたさないと判断したＦＨチャネルを使用することにより、ＷＬＡＮ装置間の通信に多大な妨害を与えてしまう場合がある。例えば、ＷＬＡＮ装置が、ＢＴ装置から送信された帯域外の信号を、キャリアセンスにより所定の閾値を超える信号強度の信号として誤検出してしまうと、ＷＬＡＮ装置は、実際には使用可能なチャネルであっても送信待機を行うことになり、通信スループットが不必要に低下してしまうという問題が生じる。特に、今後、ＷＬＡＮ装置とＢＴ装置の両方の機能を備える複合無線装置では、上記の問題が深刻化する。【０００９】
また、従来のＡＦＨ技術では、ＷＬＡＮ装置の使用帯域が増加した場合には、ＢＴ装置にとって妨害無く使用可能と判断されるＦＨチャネル（良好チャネル）数が不足する。このため、Bluetooth（登録商標）の規格を満足させるためには、ＷＬＡＮ装置との干渉でＢＴ装置にとって所定品質を満たさないＦＨチャネル（不良チャネル）の中からもいくつかの数のＦＨチャネルを使用可能なチャネルとして選択して使用せざるを得なくなる。【００１０】
このような良好チャネルの不足によるＢＴ装置の干渉耐性の劣化を回避する方法が、下記非特許文献１の７節や、下記特許文献３に開示されている。【００１１】
また、上述のＢＴ装置とＷＬＡＮ装置間の干渉を避けるための技術として、１つの無線端末にＷＬＡＮ装置とＢＴ装置の両方が搭載された複合無線装置において、ＢＴデバイスとＷＬＡＮデバイスとの間で通信状態を調停することにより、複合無線装置における各ＢＴデバイスとＷＬＡＮデバイスの送受信タイミングを制御する方法が、下記非特許文献１に開示されている。【００１２】
また、下記特許文献４には、ＷＬＡＮ装置とＢＴ装置の両方が搭載された複合無線装置において、ＷＬＡＮ装置が自身の動作周波数のみならず、周辺のほかのＷＬＡＮ装置の使用チャネルを把握し、その情報をＢＴ装置に通知することによりＢＴ装置がＦＨチャネルを選択する方法が開示されている。下記特許文献４では、さらにＷＬＡＮ装置の送受信タイミングに応じてＷＬＡＮ装置の送信タイミングで使用できないＦＨチャネル（送信時使用不可チャネル）と、ＷＬＡＮ装置のキャリアセンスタイミングで使用できないＦＨチャネル（誤検出危険チャネル）と、ＷＬＡＮ装置の受信タイミングで使用できないＦＨチャネル（受信時使用不可チャネル）などのＷＬＡＮ装置がどのような通信状態であるかを示す通信タイミング情報と、に基づいてＢＴ装置の使用可能なＦＨチャネルを選択する方法も開示されている。下記特許文献４では、例えば自身のＷＬＡＮ装置が使用するＷＬＡＮチャネルに対応した誤検出危険チャネルを除いて、他のＷＬＡＮ装置が使用していると推測される各ＷＬＡＮチャネルに含まれるＦＨチャネルのうち、そのＷＬＡＮチャネルの中心周波数から遠い順に、周波数の高いものと低いものを交互に不足数分になるまでＦＨチャネルを準使用可能ＦＨチャネルとして選択して良好チャネル数の不足を補う方法などについても開示している。【００１３】
また、下記特許文献５には、第２の無線通信方式の通信帯域を確保するために、第１の無線通信方式がＣＴＳ（Clear  to  Send）またはＲＴＳ（Request  to  Send）／ＣＴＳフレームを送信し、第２の無線通信方式のために通信帯域を予約する方法が開示されている。
【先行技術文献】
【特許文献】
【００１４】
【特許文献１】特許第３４４３０９４号公報
【特許文献２】特許第３７７０５８６号公報
【特許文献３】特開２００３−２３４７４５号公報
【特許文献４】特開２００８−１７２５５６号公報
【特許文献５】特開２０１０−３５１７９号公報
【非特許文献】
【００１５】
【非特許文献１】ＩＥＥＥ  Computer  Society，「ＩＥＥＥ８０２．１５．２規格書」，August  ２００３
【発明の概要】
【発明が解決しようとする課題】
【００１６】
しかしながら、上記従来の特許文献および非特許文献に記載の技術によれば、ＢＴ装置とＷＬＡＮ装置が近接する環境（例えば、ＢＴ装置とＷＬＡＮ装置を搭載する複合無線装置）において、通信状況が変化した際にＢＴ装置において使用可能なチャネルを増加させる方法が明示されていない。このため、例えば複合無線装置のＢＴ装置が、周辺のＷＬＡＮ装置との干渉を避けてＦＨチャネルを選択し、その後移動または電源切断等により周辺のＷＬＡＮ装置が存在しなくなったとしても、ＢＴ装置は選択済みの既割当ＦＨチャネルにて動作することを強いられてしまい、自無線装置内のＷＬＡＮ装置と連携してシステムスループットを改善することができない。【００１７】
本発明は、上記に鑑みてなされたものであって、ＢＴ装置とＷＬＡＮ装置が近接する場合において（例えば、ＢＴ装置とＷＬＡＮ装置を搭載する複合無線装置において）、他のＷＬＡＮ装置が移動または電源切断等により存在しなくなった場合にシステムスループットを改善することができる無線通信装置、無線通信システムおよび周波数割当方法を得ることを目的とする。
【課題を解決するための手段】
【００１８】
上述した課題を解決し、目的を達成するために、本発明は、複数の第１の周波数帯のうちの選択した第１の周波数帯を用いて無線通信を行う第１の通信装置と、前記第１の周波数帯と重複する利用周波数帯域内の複数の第２の周波数帯を用いて周波数ホッピングにより通信を行う第２の通信装置と、を備える無線通信装置であって、前記第１の周波数帯の通信品質情報に基づいて前記周波数ホッピングに用いることができる第２の周波数帯である使用可能周波数帯を決定し、前記使用可能周波数帯を前記第２の通信装置へ通知する無線チャネル制御部と、前記使用可能周波数帯以外の周波数帯である拡張周波数帯の通信品質情報を拡張通信品質情報として取得する拡張品質情報取得部と、を備え、前記無線チャネル制御部は、前記拡張通信品質情報に基づいて未使用と判断した第１の周波数帯内の第２の周波数帯を前記使用可能周波数帯として追加する、ことを特徴とする。
【発明の効果】
【００１９】
本発明によれば、ＢＴ装置とＷＬＡＮ装置が近接する場合において、他のＷＬＡＮ装置が移動または電源切断等により存在しなくなった場合にシステムスループットを改善することができるという効果を奏する。
【図面の簡単な説明】
【００２０】
【図１】図１は、複合無線装置の機能構成例を示す図である。
【図２】図２は、ＷＬＡＮ通信とＢＴ通信が用いる周波数帯の一例を示す図である。
【図３】図３は、従来のＡＦＨ技術を用いた場合の、ＢＴ装置が使用可能か不可能を判断したＦＨチャネルとＢＴ装置間の通信エリアで動作するＷＬＡＮ装置の使用チャネルとの配置例を示す図である。
【図４】図４は、複合無線装置を含む通信システムの構成例を示す図である。
【図５】図５は、複合無線装置、ＢＴ装置、ＷＬＡＮ装置を備える通信システムの構成例を示す図である。
【図６】図６は、図５で示した通信システムにおいて各装置が使用する周波数帯域の一例を示す図である。
【図７】図７は、本実施の形態の使用周波数と時間構成の一例を示す図である。
【図８】図８は、本実施の形態のチャネルマップの一例を示す図である。
【図９】図９は、複合無線装置が、カーナビゲーション装置であり、ＷＬＡＮアクセスポイントとしての機能を有する場合の構成例を示す図である。
【図１０】図１０は、使用可能ＦＨチャネルを増加させた後の「非探索時」および「探索時」の探索用対象チャネルの一例を示す図である。
【図１１】図１１は、ＷＬＡＮ装置における使用チャネル情報とチャネル通信品質情報の一例を示す図である。
【図１２】図１２は、他ＷＬＡＮシステムが使用中のＷＬＡＮチャネル内のＦＨチャネルを使用可能ＦＨチャネルとして割り当てる場合の一例を示す図である。
【発明を実施するための形態】
【００２１】
以下に、本発明にかかる無線通信装置、無線通信システムおよび周波数割当方法の実施の形態を図面に基づいて詳細に説明する。なお、この実施の形態によりこの発明が限定されるものではない。
【００２２】
図１は、本発明にかかる複合無線装置１の機能構成例を示す図である。本実施の形態では、本発明にかかる無線通信装置として複合無線装置１を例に挙げて説明する。複合無線装置１は、図１に示すようにＷＬＡＮ装置（第１の通信装置）１２とＢＴ装置（第２の通信装置）１３と無線チャネル制御部１４とを備える。
【００２３】
図２は、ＷＬＡＮ通信とＢＴ通信が用いる周波数帯の一例を示す図である。大きな台形はＷＬＡＮ装置が使用する周波数帯域を示しており、小さな矩形はＢＴ装置が使用するＦＨチャネルを示している。ＷＬＡＮ通信では、ＩＥＥＥ８０２，１１ｂ／ｇ／ｎに準拠して、２．４ＧＨｚ帯の周波数帯域内に５ＭＨｚ間隔で割り当てられた１４個の周波数チャネル（第１の周波数帯：以下、ＷＬＡＮチャネルという）（図２のＣＨ１〜ＣＨ１４）のうち１以上の任意の周波数チャネルを選択して通信に使用する。ＢＴ通信では、２．４０ＧＨｚから２．４８ＧＨｚまでの周波数帯内の定められた１ＭＨｚ幅の７９個の周波数チャネル（第２の周波数帯：以下、ＦＨチャネルという）（図２のBluetooth（登録商標）  Channel）のうちから１つのＦＨチャネルを選択し時間経過と共に切り替えて無線通信を行う。
【００２４】
複合無線装置１のＷＬＡＮ装置１２は、ＩＥＥＥ８０２．１１ｂ／ｇ／ｎ規格に準拠したＷＬＡＮ通信を行う機能を有しており、２．４ＧＨｚ帯の周波数帯域内に５ＭＨｚ間隔で割り当てられた１４個の周波数チャネル（図２のＣＨ１〜ＣＨ１４）のうち１以上の任意の周波数チャネルを選択して通信に使用する。
【００２５】
ＢＴ装置１３は、Bluetooth（登録商標）規格に準拠したＢＴ通信を行う機能を有しており、７９個のＦＨチャネル（図２のBluetooth（登録商標）  Channel）のうちから、ホッピングパターンに基づいて基本的には１タイムスロット毎（６２５μｓ）に使用するＦＨチャネルを切り替えて通信を行う。
【００２６】
ここで、ＷＬＡＮ装置とＢＴ装置が近接する場合の、従来の干渉回避技術について説明する。ＷＬＡＮ通信とＢＴ通信は両方とも２．４ＧＨｚを用いるため、互いに干渉源となる可能性がある。干渉を回避するための技術としてＡＦＨ技術が知られている。しかし、ＡＦＨ技術はＢＴ装置側の品質のみを考慮して実施されるため、ＷＬＡＮ装置間の通信に多大な妨害を与えてしまう場合がある。
【００２７】
このような場合の一例を図３を用いて説明する。図３は、従来のＡＦＨ技術を用いた場合の、ＢＴ装置が使用可能か不可能を判断したＦＨチャネルとＢＴ装置間の通信エリアで動作するＷＬＡＮ装置の使用チャネルとの配置例を示す図である。図３において、斜線部のＦＨチャネルはＢＴ装置にとって妨害を受けないと判断して使用可能にしたＦＨチャネル（以下、良好チャネルという）を示し、白抜きのチャネルは妨害を受けるあるいは受けていると判断して使用不可能としたＦＨチャネル（以下、不良チャネルという）を示し、黒塗りの部分はＷＬＡＮ装置が送受信する信号スペクトルを模式的に示している。
【００２８】
図３に示すように、ＷＬＡＮ装置は周波数２４３７ＭＨｚを中心として±１０ＭＨｚ程度の占有周波数帯域を有する信号を送受信しており、ＢＴ装置は、ＡＦＨ技術により、ＷＬＡＮ装置から送出される信号の帯域を除くＦＨチャネルを使用して通信を行っている。
【００２９】
ＢＴ装置がＷＬＡＮ装置の使用帯域外のＦＨチャネルを使用して送信していても、ＢＴ装置とＷＬＡＮ装置が近接している環境では、ＷＬＡＮ装置ではＢＴ装置から送信された帯域外の信号を、キャリアセンスにより所定の閾値を超える信号強度の信号として誤検出してしまうことがある。このような場合、実際にはＷＬＡＮ装置が送信してもＢＴ通信へ妨害を与えない区間でも送信せずに引き続きキャリアセンスを続けてしまう（ＣＳＭＡ／ＣＡにより送信を待たされてしまう）。このため、ＷＬＡＮ装置の通信スループットが不必要に低下してしまうという問題が生じる。
【００３０】
例えば、今後、携帯電話とヘッドセットの間でＢＴ通信を行い、携帯端末とＷＬＡＮ装置であるアクセスポイント（ＡＰ）との間でＩＥＥＥ８０２．１１ｂ／ｇ／ｎで通信を行い、インターネットのＩＰ（Internet  Protocol）回線を介して通信を行うようなシステムも検討されている。このようなシステムでは、１つの携帯端末にＷＬＡＮ装置とＢＴ装置の両方が搭載された複合無線装置が使用されることになる。図４は、複合無線装置を含む通信システムの構成例を示す図である。図４の例では、ＷＬＡＮアクセスポイント２１がEthernet（登録商標）等によりインターネット等へ接続するとともに、ＷＬＡＮ装置＃２（以下、ＷＬＡＮ＃２と略す）を備えて携帯端末２２とＷＬＡＮ通信を行う。複合無線装置である携帯端末２２は、ＷＬＡＮ装置＃１を備えてＷＬＡＮアクセスポイント２１とＷＬＡＮ通信を行うとともに、ＢＴ装置＃１（以下、ＢＴ＃１と略す）を備えＢＴヘッドセット２３と通信を行う。ＢＴヘッドセット２３は、ＢＴ装置＃２（以下ＢＴ＃２と略す）を備え、携帯端末２２とＢＴ通信を行う。
【００３１】
さらに、Bluetooth（登録商標）  ＳＩＧ（Special  Interest  Group）では、Alternative  ＰＨＹ  and  ＭＡＣ  としてBluetooth  over  ＷＬＡＮのようにＢＴ装置とＷＬＡＮ装置を併用するシステムも検討されている。
【００３２】
このような複合無線装置では、言うまでも無く、ＢＴ装置とＷＬＡＮ装置とが極近接して配置されるため、上述したキャリアセンスの誤検出の問題がさらに深刻化する。
【００３３】
また、従来のＡＦＨ技術では、ＷＬＡＮ装置の使用帯域が増加した場合には、ＢＴ装置にとって妨害無く使用可能と判断される良好チャネル数が不足する。このため、Bluetooth（登録商標）の規格を満足させるためには、ＷＬＡＮ装置との干渉によりＢＴ装置での所定品質を満たさない不良チャネルの中からもいくつかの数のＦＨチャネルを使用可能なチャネルとして選択して使用せざるを得なくなる。
【００３４】
この問題を、図を用いて説明する。図５は、複合無線装置、ＢＴ装置、ＷＬＡＮ装置を備える通信システムの構成例を示す図である。ＷＬＡＮアクセスポイント２１、携帯端末２２およびＢＴヘッドセット２３は、図４と同様である。図５の構成例では、図４で示した通信システムにさらに無線ＬＡＮ端末２４−１〜２４−４が追加されている。無線ＬＡＮ端末２４−ｉ（ｉ＝１，２，３，４）は、ＷＬＡＮ装置＃（２＋ｉ）を備えている。
【００３５】
図６は、図５で示した通信システムにおいて各装置が使用する周波数帯域の一例を示す図である。大きな台形はＷＬＡＮ装置が使用する周波数帯域を示しており、小さな矩形はＢＴ装置が使用するＦＨチャネルを示している。例えば、図５に示した通信システムにおいて、ＷＬＡＮ装置＃１〜＃６が、ＩＥＥＥ８０２．１１ｂ／ｇ／ｎで規定されたチャネルのうち、ＣＨ１（２４０１〜２１２３ＭＨｚ）、ＣＨ６（２１２６〜２１４８ＭＨｚ）、ＣＨ１１（２１５１〜２１７３ＭＨｚ）をそれぞれ使用して通信しているとする。この場合、従来のＡＦＨ技術を用いると、携帯端末２２のＢＴ＃１は、中心周波数が２１２４ＭＨｚ、２１２５ＭＨｚ、２１４９ＭＨｚ、２１５０ＭＨｚの４つのＦＨチャネルと、中心周波数が２１７４ＭＨｚ〜２４８０ＭＨｚの間に存在する７つのＦＨチャネルと、の計１１個のＦＨチャネル（図６において斜線で塗りつぶしたＦＨチャネル部分）を良好チャネルとして周波数ホッピング周波数として使用することになる。
【００３６】
一方、ＦＣＣ（Federal  Communications  Commission：アメリカ連邦通信委員会）では、ホッピングを行う周波数チャネル数を１５チャネル以上とすることが既定されている。このため、ＢＴ＃１は、ホッピングを行う周波数チャネルが１５チャネル以上になるように、不良チャネルからも少なくとも４個以上のチャネルを選択して使用しなければならず、ＢＴ通信においてもＷＬＡＮ通信からの干渉波に対する耐性が劣化してしまう。
【００３７】
上述のような問題を解決するための方法が従来から検討されているが、従来の方法では、ＢＴ装置が周辺の他のＷＬＡＮ装置との干渉を避けてＦＨチャネルを選択した後、当該他のＷＬＡＮ装置が存在しなくなったことにより通信状況が変化した際に、ＢＴ装置において使用可能なチャネルを増加させる方法が明示されていない。これまで干渉源となっていたＷＬＡＮ装置が移動や電源切断等により存在しなくなると、未使用チャネルが増加するため、ＢＴ装置にとって良好チャネルとなるチャネルが増加することが予想される。しかし、従来はこのような場合に、ＢＴ装置は既に使用しているチャネルをそのまま使用する（使用可能なチャネルを増加させない）ため、無線リソースを有効に活用できていなかった。
【００３８】
本実施の形態では、これまで干渉源となっていたＷＬＡＮ装置が移動や電源切断等により存在しなくなった場合に、未使用チャネルを検出して、ＢＴ装置が検出した未使用チャネルを用いることにより、システムスループットを改善する。
【００３９】
次に、本実施の形態の複合無線装置の詳細構成について図１を用いて説明する。ＷＬＡＮ装置１２は、アンテナ、送受信用信号増幅器、フィルタ、変復調器、ＰＬＬ（Phase  Locked  Loop）回路、ベースバンド処理回路等によって構成されるＷＬＡＮ無線部１２１と、端末管理、秘匿、フレーマー、アクセス制御回路、スケジューラー等によって構成されるＷＬＡＮ通信制御部１２３と、を備える。また、ＷＬＡＮ装置１２は、端末やネットワークと接続するためのホストインタフェース部（図示せず）等も備える。なお、ＷＬＡＮ無線部１２１およびＷＬＡＮ通信制御部１２３の構成は上述した例に限定されず、ＷＬＡＮ無線通信処理、ＷＬＡＮ通信の通信制御をそれぞれ行うことができる構成であればどのような構成でもよい。
【００４０】
また、ＷＬＡＮ無線部１２１のキャリアセンス部１２２（例えば、ベースバンド処理回路の一部として）を備える。キャリアセンス部１２２は、ＷＬＡＮ通信制御部１２３からの指示により、指示されたＷＬＡＮチャネルに対してキャリアセンスを実施し、その結果を通信品質情報としてＷＬＡＮ通信制御部１２３に通知する。
【００４１】
例えば、キャリアセンス部１２２は、指示されたチャネルの受信電力レベルの検出を行い、検出した値が所定の時間内で所定の閾値（例えば、−７６ｄＢｍ）以下の場合に、当該チャネルが使用されておらず利用可能であることを意味する送信ＯＫ信号をＷＬＡＮ送信制御部１２３へ通信品質情報として通知する。検出した値が所定の時間内で所定の閾値より大きい場合には、キャリアセンス部１２２は、当該チャネルが使用中であることをＷＬＡＮ送信制御部１２３へ通信品質情報として通知する。
【００４２】
なお、キャリアセンス部１２２は、所定の閾値（キャリアセンスレベル）として、自装置と同一規格の無線フレームに対するキャリアセンスレベルと、他システムからのフレームに対するキャリアセンスレベルまたは干渉に対するキャリアセンスレベルと、の２つを有するようにし、良好でない場合の通信品質情報を多段階（例えば、使用中と干渉有りの２段階）で判定してもよい。
【００４３】
ＷＬＡＮ通信制御部１２３は、キャリアセンス部１２２から取得した各ＷＬＡＮチャネルの通信品質情報を無線チャネル制御部１４へ通知する。ＷＬＡＮ通信制御部１２３は、自身の使用するＷＬＡＮチャネルのみならず、他の周辺のＷＬＡＮ装置の使用するＷＬＡＮチャネルのキャリアセンスをキャリアセンス部１２２に指示することにより他の周辺のＷＬＡＮ装置の使用するＷＬＡＮチャネルの通信品質情報を無線チャネル制御部１４に通知することが可能である。
【００４４】
また、ＷＬＡＮ通信制御部１２３は、アクセス制御部１２４を備える。アクセス制御部１２４は、ＣＳＭＡ／ＣＡや、ＰＣＦ（Point  Coordination  Function）、ＥＤＣＡ（Enhanced  Distributed  Channel  Access）、ＨＣＣＡ（Hybrid  Coordination  Function  （ＨＣＦ）  Controlled  Channel  Access）などのアクセス機能が実装されており、通信トラフィック種別ごとにアクセス機能を使い分ける。
【００４５】
ＢＴ装置１３は、アンテナ、ＲＦ（Radio  Frequency）回路、ベースバンド処理回路等によって構成されるＢＴ無線部１３１と、周波数ホッピングチャネル決定部１３３、リンク管理部１３４、探索用フレーム生成部１３５、アクセス制御回路等によって構成されるＢＴ通信制御部１３２と、を備える。また、ＢＴ装置１３は、ホストコントローラーとのインタフェース部（図示せず）等も備える。なお、ＢＴ無線部１３１およびＢＴ通信制御部１３２の構成は上述した例に限定されず、ＷＬＡＮ無線通信処理、ＷＬＡＮ通信の通信制御をそれぞれ行うことができる構成であればどのような構成でもよい。
【００４６】
周波数ホッピングチャネル決定部１３３では、ＡＦＨを実施し、AFH＿channel＿MAPなどを用いて周波数ホッピングを行うチャネルを決定する。リンク管理部１３４は、通信相手のＢＴ装置との通信リンクの管理を行う。具体的には、ビットエラーレートやパケットエラーレート、あるいはＲＳＳＩ（受信電力レベル）、ＳＩＮＲ（Signal  to  Interference  plus  Noise  Ratio）、ＣＩＮＲ（Carrier  to  Interference  plus  Noise  Ratio）などを計測し、ＢＴ通信が所望の通信品質を満たしているかを判断する。探索用フレーム生成部１３５は、各ＦＨチャネルの状態を探索するために必要に応じてダミーデータを送信する。
【００４７】
本実施の形態では、ＢＴ装置１３では、周波数ホッピングチャネル決定部１３３が、実際にＡＨＦに使用するＦＨチャネルを無線チャネル制御部１４から得られる使用可能ＦＨチャネルに基づいて決定する。また、周波数ホッピングチャネル決定部１３３は、ＢＴ装置１３が実施するＢＴ通信の通信品質や通信品質の劣化に伴う帯域不足による帯域要求情報を無線チャネル制御部１４に通知する。
【００４８】
無線チャネル制御部１４は、ＷＬＡＮ装置１２とＢＴ装置１３における使用チャネルを管理する使用チャネル管理部１４１と、ＷＬＡＮ装置１２から通知されるチャネル品質情報等を保持管理する通信品質管理部１４２と、所定のＱｏＳ処理を実施するＱｏＳ管理部１４３と、を備える。
【００４９】
次に、本実施の形態の動作を説明する。ここでは、図５で示した通信システムの構成を前提とし、図５の携帯端末２２が本実施の形態の複合無線装置１である場合を例に説明する。なお、複合無線装置１である携帯端末２２が備えるＢＴ＃１が図１のＢＴ装置１３に相当し、携帯端末２２が備えるＷＬＡＮ＃１が図１のＷＬＡＮ装置１２に相当する。
【００５０】
図７は、本実施の形態の使用周波数と時間構成の一例を示す図であり、図８は、本実施の形態のチャネルマップの一例を示す図である。
【００５１】
なお、本実施の形態では複合無線装置１を携帯電話として記載しているが、そのほかのゲーム機器、パーソナルコンピューター、モバイルルーター装置、スマートメーター機器であってもよく、複合無線装置１は携帯電話に限定されない。また、本実施の形態では、複合無線装置１は、ＷＬＡＮの端末局として動作する例を説明するが、複合無線装置１はＷＬＡＮアクセスポイントとしての機能を有していてもよい。
【００５２】
例えば、複合無線装置１は、ＷＬＡＮアクセスポイント機能とBluetooth（登録商標）機能の両方を持ち合わせる機器でも構わない。例えば、通信機能を有するカーナビゲーション装置、モバイルルーター装置、パーソナルコンピューター、携帯電話装置、スマートメーター機器でも構わない。
【００５３】
図９は、複合無線装置１が、カーナビゲーション装置であり、ＷＬＡＮアクセスポイントとしての機能を有する場合の構成例を示す図である。図９の例では、複合無線装置１は、カーナビゲーション部１５と、ＷＬＡＮアクセスポイント機能部１６と、携帯電話と接続することによりインターネット等と接続する携帯電話モジュール１７と、ＢＴ装置１３と、無線チャネル制御部１４と、を備える。ＢＴ装置１３および無線チャネル制御部１４は、図１のＢＴ装置１３および無線チャネル制御部１４と同様であり、ＷＬＡＮアクセスポイント機能部１６はＷＬＡＮの端末局の代わりにＷＬＡＮアクセスポイントとしての機能を実現する以外はＷＬＡＮ装置１２と同様である。図９の複合無線装置１は、例えば、自動車内へ持ち込まれたノートパソコン、タブレット型コンピュータやゲーム機等である持込機器２５とＷＬＡＮ通信を行い、携帯電話や携帯情報端末、携帯電話および携帯情報端末の両方の機能を有する端末（いわゆるスマートフォン）等である携帯端末２６とＢＴ通信を行う。
【００５４】
次に、図７を用いて全体動作について説明する。図７では、横軸を時間とし、縦軸を周波数帯域として各無線装置が使用する周波数／時間を示している。図７では、ＷＬＡＮ通信フレームに用いる周波数および時間を白抜きで示している。また、図７中の自ＷＬＡＮは、複合無線装置１（携帯端末２２）が備えるＷＬＡＮ装置１２であるＷＬＡＮ＃１に対応する。
【００５５】
期間Ｔ１では、複合無線装置１のＷＬＡＮ＃１とＷＬＡＮアクセスポイント２１のＷＬＡＮ＃２とがＷＬＡＮチャネル（ＣＨ）７を使用し、無線ＬＡＮ端末２４−１のＷＬＡＮ＃３と無線ＬＡＮ端末２４−２のＷＬＡＮ＃４とがＷＬＡＮチャネル（ＣＨ）１３を使用し、無線ＬＡＮ端末２４−３のＷＬＡＮ＃５と無線ＬＡＮ端末２４−４のＷＬＡＮ＃６とがＷＬＡＮチャネル（ＣＨ）１を使用して通信している。
【００５６】
なお、ＷＬＡＮチャネル７の上下（ＷＬＡＮチャネル７より周波数の高い領域および低い領域）と、一部の時間のＷＬＡＮチャネル７については、複合無線装置１のＢＴ１＃１と通信相手先であるＢＴ＃２とが通信に使用するＢＴ動作チャネルを示している（斜線でハッチングされた領域）。このように周囲のＷＬＡＮシステム（ここでは、ＷＬＡＮ＃３〜＃６）によってＷＬＡＮチャネルが飽和状態で使用されている際には、ＢＴ通信用チャネルとして十分に通信帯域を割当てることができない。
【００５７】
本実施の形態では、このような場合には、複合無線装置１のＷＬＡＮ＃１とＢＴ＃１とが連携し、例えばＷＬＡＮの帯域予約フレーム（ＣＴＳ−my−selfフレームなど）をＢＴ送信に先立ち送信（図７の斜線格子ハッチングのエリアで送信）し、ＷＬＡＮ＃１とＷＬＡＮ＃２との間の通信（以下、自ＷＬＡＮ通信という）で使用する通信帯域をＢＴ通信用チャネルとして一定時間の間割当てる。この一定時間が経過後、再び、ＷＬＡＮ装置１２はＷＬＡＮチャネル７を用いて一定時間の間通信を行い、一定時間の経過後、ＷＬＡＮチャネル７をＢＴ通信用に割当る。このように、一定期間ごとにＷＬＡＮチャネル７を自ＷＬＡＮ通信とＢＴ通信に交互に割当る。自ＷＬＡＮ通信を行う一定時間とＢＴ通信を行う一定時間は、同じでも良いし異なっていてもよい。例えば、自ＷＬＡＮ通信の通信量とＢＴ通信の通信量に基づいて、決定してもよい。
【００５８】
なお、ここでは、ＷＬＡＮチャネル７を自ＷＬＡＮ通信とＢＴ通信に交互に割当てる方法を例に説明したが、ＢＴ通信用チャネルとして十分に通信帯域を割当てることができない場合のＢＴ通信へのＦＨチャネルの割当方法（使用可能ＦＨチャネル）はこれに限定されない。
【００５９】
ＢＴ＃１は、一定周期でまたは必要に応じて各使用可能ＦＨチャネルについて探索用フレームを送信する。探索フレームは、当該探索フレームに対する応答フレームの有無により当該チャネルの使用状況を把握したり、応答フレームを用いて無線通信品質を取得したりするためのフレームである。本実施の形態では、ＢＴ＃１の状態とし「非探索時」と「探索時」２つを定義し、「非探索時」には、ＢＴ＃１は従来と同様に既に使用可能ＦＨチャネルとして決定されている各ＦＨチャネルを探索対象として各チャネルの受信状態等を探索する。一方、ＢＴ＃１は、「探索時」には、「非探索時」に設定された使用可能ＦＨチャネルのみでなく、「非探索時」に使用可能ＦＨチャネルとして設定されていなかったＦＨチャネルについても探索対象として探索フレームを送信する。すなわち、「探索時」には、探索対象のチャネルを拡張した探索用拡張チャネルに対して探索フレームを送信する。図７の黒でハッチングした矩形領域は、ＢＴ＃１が、ＦＨチャネルの無線品質状態を探索するための探索用フレームの送信に対応しているが、このようにＷＬＡＮ＃３〜ＷＬＡＮ＃６で使用中のＷＬＡＮチャネルについても探索フレームを送信するのは、「探索時」、すなわち探索対象のチャネルを拡張している場合である。なお、図７では、ＢＴ＃１が、ＷＬＡＮチャネル１およびＷＬＡＮチャネル１３について探索している様子を示しているが、他のＷＬＡＮチャネルについても同様に探索を実施する。
【００６０】
また、ＢＴ＃１は、ＡＦＨを実行する場合、例えば定期的に探索フレームを送信する等して使用可能ＦＨチャネルの無線通信品質を監視している。本実施の形態では、拡張した探索が必要と判断した場合、定期的に「探索時」へ一定期間（以下、探索継続時間という）移行することを、一定周期（以下、探索切替周期という）ごとに繰り返す。
【００６１】
例えば、「非探索時」には、ＢＴ＃１は、無線チャネル制御部１４が通知された使用可能ＦＨチャネル（例えば、自ＷＬＡＮ通信、周辺のＷＬＡＮ装置のどちらも使用していないチャネル）に基づくチャネルマップ（「非探索時」のチャネルマップ）を探索用チャネルマップとして、当該チャネルマップに基づいて探索および周波数ホッピングを実施する。一方、「探索時」には、ＢＴ＃１は、使用可能ＦＨチャネルとして設定されたＦＨチャネルに加えて、使用可能ＦＨチャネルとして設定されていなかったＦＨチャネルを追加した探索用拡張チャネルに対応するチャネルマップ（「探索時」のチャネルマップ）を探索用チャネルマップとするよう切り替える。なお、「探索時」のチャネルマップへの切り替え時点では、使用可能ＦＨチャネルは変更されていないので、データ送信のための周波数ホッピングは使用可能ＦＨチャネルを用いて実施される。
【００６２】
拡張チャネルとして追加するＦＨチャネルは、例えば、自ＷＬＡＮ通信で使用していないＷＬＡＮチャネルの中心周波数近傍の領域とすることができる。追加するＦＨチャネルは、ＢＴ装置１３に予め設定されているまたは無線チャネル制御部１４から通知されることとする。
【００６３】
図８では、ＷＬＡＮチャネル７とＷＬＡＮチャネル７の近傍のＦＨチャネルを「非探索時」の使用可能ＦＨチャネル３０として示している。また、斜線格子でハッチングした追加ＦＨチャネル３１が探索対象のチャネルを拡張の際に追加されたＦＨチャネルである。この例では、ＷＬＡＮチャネル７以外のＷＬＡＮチャネル１〜６，８〜１４の中心近傍のＦＨチャネルをそれぞれ追加するが、ＷＬＡＮチャネル５，６，８，９の中心近傍のＦＨチャネルについては「非探索時」の使用可能ＦＨチャネルに含まれるため追加されたＦＨチャネルとしては示されていない。
【００６４】
探索切替周期ごとに「探索時」への切替えを行うモード（以下拡張探索モードという）への移行のトリガー条件としては、例えば、良好チャネルとして利用できるＦＨチャネルが所定数以下となった、割当て済みの自身のＦＨチャネルの品質が劣化した等、の条件を満たした場合に拡張探索モードへ移行する条件とすることができる。なお、トリガー条件は、これに限らず、例えばＷＬＡＮ＃１におけるＷＬＡＮチャネル品質劣化をトリガー条件とする等、どのような条件を用いてもよい。逆に、拡張探索モードから通常状態へ復帰する条件も、どのような条件でも良いが、例えば、ＢＴ＃１の通信量が一定量以下になった場合等に通常状態へ移行してもよい。また、通常状態を設けず、常に拡張探索モードとしてもよい。
【００６５】
また、前述したとおりBluetooth（登録商標）では６２５μｓ毎にホッピングパターンに基づいて（予め設定された多項式条件に基づきランダムに）ホッピングを行う。このため、探索継続時間（１回の「探索時」の開始から終了（「非探索時」への移行）まで）が短い場合やBluetooth（登録商標）の通信量が少ない場合には、「探索時」のチャネルマップに変更したとしても、追加したＦＨチャネルに対応する探索フレームが送信されないこともある。そのため、探索継続時間は、元々使用可能だった「非探索時」の使用可能ＦＨチャネルに対する追加チャネルの数や、ＢＴ＃１のトラフィック量などに基づいて算出することが望ましい。また、同様に探索切替周期（１回の「探索時」の開始から次の「探索時」の開始までの周期）も、追加チャネルの数や、ＢＴ＃１のチャネルトラフィック量、探索用拡張チャネルにおける送信量などに基づいて算出することが望ましい。
【００６６】
また、本実施の形態では、「探索時」で追加して探索対象とするＦＨチャネルを、各ＷＬＡＮチャネルのチャネル中心近傍のＦＨチャネルとしているが、通常チャネル中心付近はＤＣ（Direct  Current）成分として、ＷＬＡＮ送信スペクトルにおいても低くなるようにフィルタリングされているため、ＷＬＡＮチャネルの中心から周波数方向に上下にずらしたＦＨチャネルを割当てるようにしてもよい。
【００６７】
さらには、１つのＷＬＡＮチャネルあたり１つのＦＨチャネルを用いて探索を行っても良いし、複数のＦＨチャネルを用いて各ＷＬＡＮチャネル内を探索するようにしても構わない。また、例えば、探索範囲をＷＬＡＮチャネル１〜３内のみにするなど、特定のＷＬＡＮチャネルに対してのみ探索を行うようにしても良い。また、全ＦＨチャネルを使用して探索を行うようにしても構わない。さらには、後述する他ＷＬＡＮシステムのチャネル通信品質情報に基づいて、特定のＦＨチャネルに対して送信する際の送信電力を最適化し、他ＷＬＡＮシステムのフレームに誤りが発生しないようにすることも可能である。
【００６８】
次に、図７の期間Ｔ２は、ＷＬＡＮ端末２４−３，２４−４が、複合無線装置１の通信エリアから居なくなった状態を示している。例えば、本実施の形態で示される複合無線装置１が自動車に搭載された場合には、自身が移動することによって周辺のホットスポットエリアから動くこともありうるし、同一の通信システムを具備する併走する車両が自身の通信エリアから居なくなった場合などがあげられる。同様に複合無線装置１がスマートフォン等であった場合には、自身が移動した場合、または周辺のスマートフォン、モバイルルーター等を保持する人が移動した場合などがあげられる。
【００６９】
期間Ｔ２では、ＷＬＡＮ端末２４−３，２４−４が、複合無線装置１の通信エリアから居なくなったため、ＢＴ＃１がＢＴ通信にＷＬＡＮ端末２４−３，２４−４が用いていたＷＬＡＮチャネル１内のＦＨチャネルを用いても、衝突が生じないことになる。また、ＢＴ＃１は、探索対象のＦＨチャネルを拡張した探索用フレームの送信により、ＷＬＡＮチャネル１内のＦＨチャネルが他の通信で用いられていないことを検出する。
【００７０】
ＢＴ＃１は、一定時間以上または一定回数以上連続して、ＷＬＡＮチャネル１内のＦＨチャネルが他の通信で用いられていないことを検出した場合、ＢＴ通信に使用する使用可能ＦＨチャネルにＷＬＡＮチャネル１内の１つ以上のＦＨチャネルを追加する（ＦＨチャネルを増加させる）と判断する。図７の例では、探索フレームの送信によりＷＬＡＮチャネル１内のＦＨチャネルが他の通信で用いられていないことを２回連続して検出した場合に、使用可能ＦＨチャネルを増加させている。増加させるＦＨチャネル数は、１つ以上であればいくつでもよく、ＷＬＡＮチャネル１内の全てのＦＨチャネルであってもよい。このようにして、期間Ｔ３では、使用可能ＦＨチャネル（ＡＦＨチャネル）を増加させて通信を行う。図１０は、使用可能ＦＨチャネルを増加させた後の「非探索時」および「探索時」の探索用対象チャネルの一例を示す図である。
【００７１】
なお、ここでは「探索時」には、ＷＬＡＮチャネル１〜１４に対応するＦＨチャネルのうち、既割当てチャネル（使用可能ＦＨチャネル）を除いたＦＨチャネルに対して探索用フレームを送信したが、これに限らず、上述したように１つのＷＬＡＮチャネルあたり複数のＦＨチャネルを探索対象とするなどのチャネルマップの割り当てを行うこともできる。また、例えば、一定以上の使用可能ＦＨチャネルが確保できている場合には探索を停止することも可能である。
【００７２】
以下、複合無線装置１の各装置の動作を説明する。まず、ＷＬＡＮ装置１２は、図７に示した状態の前の状態として時刻０で、電源投入後、先ず受信状態となり、受信するＷＬＡＮチャネルを順次切り替えて（チャネルスキャン）、周辺のほかのＷＬＡＮ装置がどのＷＬＡＮチャネルを通信に使っているか探索する。具体的には、ＷＬＡＮ通信制御部１２３が、キャリアセンス部１２２に順次受信対象のＷＬＡＮチャネルを指示し、キャリアセンス部１２２が指示されたＷＬＡＮチャネルについて通信品質情報を取得してＷＬＡＮ通信制御部１２３へ通知する。
【００７３】
そして、ＷＬＡＮ通信制御部１２３は、各ＷＬＡＮチャネルの通信品質情報に基づいて、通信相手との間のＷＬＡＮ通信（自ＷＬＡＮ通信）で使用するＷＬＡＮチャネルを決定する。ＷＬＡＮ通信制御部１２３は、使用チャネル情報（自ＷＬＡＮ通信で使用するチャネルの情報と、他の周辺のＷＬＡＮ装置により使用されているチャネルの情報）と全ＷＬＡＮチャネルのチャネル通信品質情報を無線チャネル制御部１４へ通知する。無線チャネル制御部１４では、使用チャネル管理部１４１が、全ＷＬＡＮチャネルのチャネル通信品質情報に基づいてＢＴ装置１３に対して使用可能ＦＨチャネルを通知する。ＢＴ装置１３では、リンク管理部１３４が、使用可能ＦＨチャネルの各チャネルの通信品質情報を取得する。なお、ＢＴ装置１３が取得する通信品質情報は、ビットエラーレート、パケットエラーレート、ＲＳＳＩ、ＳＩＮＲ、ＣＩＮＲなどの情報に限らず、与干渉／被干渉情報を含むものでも良い。さらには、通信品質情報は固定パターンと受信データとの相関値等に基づいて算出した値等を使用しても構わない。
【００７４】
なお、通信相手であるアクセスポイント機能を具備するＷＬＡＮ＃２が、電源投入後、先ず受信状態となり、受信するＷＬＡＮチャネルを順次切り替えて（チャネルスキャン）、周囲のほかのＷＬＡＮ装置がどのＷＬＡＮチャネルを通信に使っているかを探索し、与干渉／被干渉量、他ＷＬＡＮシステムの通信量より空いているＷＬＡＮチャネルを選択して、ＷＬＡＮ装置１２に通知するようにしてもよい。
【００７５】
なお、ＷＬＡＮ装置１２は、使用中のＷＬＡＮチャネルの品質が悪くなるなどして、使用するＷＬＡＮチャネルを変更する必要が生じた場合には、所定のプロトコルにしたがって、使用するＷＬＡＮチャネルを変更することも可能である。その場合には、ＷＬＡＮ通信制御部１２３は、使用するＷＬＡＮチャネルの変更が発生するたびに、無線チャネル制御部１４に対して、使用可能チャネル情報とチャネル通信品質情報を出力し直す。無線チャネル制御部１４では、使用チャネル管理部１４１が、ＢＴ装置１３に対して使用可能ＦＨチャネルの変更があれば通知する。
【００７６】
次に、図７の期間Ｔ１における動作を説明する。期間Ｔ１では、例えば、ＷＬＡＮアクセスポイント２１のＷＬＡＮ＃２がＷＬＡＮチャネル７（周波数２４３１ＭＨｚ〜２４５３ＭＨｚ）にて動作している場合には、ＷＬＡＮ＃２はＷＬＡＮチャネル７のＢｅａｃｏｎを送信している。複合無線装置１のＷＬＡＮ装置１２は、このＢｅａｃｏｎを受信して、ＷＬＡＮチャネル７を用いて端末として動作するため接続制御を行いデータのやり取りを行う。
【００７７】
期間Ｔ１では、ＷＬＡＮ＃３とＷＬＡＮ＃４がＷＬＡＮチャネル１（周波数２４０１ＭＨｚ〜２４２３ＭＨｚ）で動作し、ＷＬＡＮ＃５とＷＬＡＮ＃６がＷＬＡＮチャネル１３（周波数２４６１ＭＨｚ〜２４８３ＭＨｚ）で動作している。したがって、ＷＬＡＮ装置１２は、チャネルスキャンの結果（ＷＬＡＮチャネル１、１３が使用中であることを示す結果）を誤検出危険チャネルを考慮したうえで使用チャネル情報として無線チャネル制御部１４に伝えると共に、各ＷＬＡＮチャネルのビットエラーレート、パケットエラーレート、ＲＳＳＩ、ＳＩＮＲ、ＣＩＮＲなどの情報に基づいて与干渉／被干渉の具合を示すチャネル通信品質情報を無線チャネル制御部１４に通知する。
【００７８】
図１１は、ＷＬＡＮ装置１２における使用チャネル情報とチャネル通信品質情報の一例を示す図である。図１１では、図７の期間Ｔ１の期間を前提としており、ＷＬＡＮチャネル１，７，１３が使用中である場合の一例を示し、各々のチャネル通信品質情報が示されている。ここではチャネル通信品質情報は、値が大きいほど与干渉／被干渉が大きいことを示す値とし、自身が通信を行っているＷＬＡＮチャネル７のチャネル通信品質情報が最も大きな値となっている。そして、その次にＷＬＡＮチャネル１、さらにその次にＷＬＡＮチャネル１３の順で与干渉／被干渉が低くなることを示している。
【００７９】
また、図１１の例では、誤検出危険チャネルの情報もＷＬＡＮチャネルごとに示している。誤検出危険チャネルについては、ＷＬＡＮ装置の設計値に依存するものであり、ＷＬＡＮ装置１２に予め設定しておき、ＷＬＡＮ装置１２から無線チャネル制御部１４に通知しても良いし、無線チャネル制御部１４にてＷＬＡＮ装置毎に設定しても構わない。また、上記特許文献４に記載されているように、誤検出危険チャネル情報のみならず、送信時使用不可チャネルや、受信時使用不可チャネルなどの情報もあらかじめＷＬＡＮチャネルごとに設定しておき、ＷＬＡＮ装置１２が使用チャネル情報と共に無線チャネル制御部１４へ通知することも可能である。なお、図１１は、使用不可チャネルと誤検出危険チャネルを設定する例を示しているが、これらのうちいずれか１つのみを設定してもよいし、どちらも用いなくてもよい。
【００８０】
また、運用上の観点から、予めＢＴ装置１３に対して通信を行わせたくないＦＨチャネルが存在する場合には、使用チャネル管理部１４１において予め使用不可チャネルとして設定しておくことも可能である。
【００８１】
通信品質管理部１４２は、ＷＬＡＮ装置１２から通知される使用チャネル情報およびチャネル通信品質情報と、ＢＴ装置１３から通知される通信品質情報と、を品質管理情報として保持する。誤検出危険チャネルや使用不可チャネルが通知された場合には、これらについても各ＷＬＡＮチャネルに対応付けて品質管理情報として保持する。無線チャネル制御部１４の使用チャネル管理部１４１では、通信品質管理部１４２が保持している品質管理情報に基づいて、ＢＴ装置１３がＢＴ通信に使用することができる使用可能ＦＨチャネルを決定して、ＢＴ装置１３へ通知する。
【００８２】
ここでは、使用チャネル管理部１４１は、使用チャネル情報として通知されたチャネル（使用中であると判定されたチャネル）のうち自ＷＬＡＮ通信に用いている以外のＷＬＡＮチャネル内のＦＨチャネルは、使用可能ＦＨチャネルとして選択しないこととする。従って、使用チャネル管理部１４１は、図７の期間Ｔ１では、まず自ＷＬＡＮ通信で用いているＷＬＡＮチャネル７の上下の部分を使用可能ＦＨチャネルとして決定するが、これだけでは、例えばＦＣＣの規定を満たすホッピングに用いるチャネル数を確保できない。従って、ＢＴ装置１３からの帯域要求情報に基づいて、ＢＴ通信を行う必要があると判断した場合には、自ＷＬＡＮ通信で用いているＷＬＡＮチャネル７内のＦＨチャネルとその上下の領域を使用可能ＦＨチャネルとして決定する。そして、使用チャネル管理部１４１は、ＢＴ通信に対して決定した使用可能ＦＨチャネルを通知する（ＢＴ通信の開始）の前に、ＷＬＡＮ装置１２に対して、ＢＴ通信の間ＷＬＡＮチャネル７を使用しないよう通知する帯域予約フレームを送信するよう指示する。以降、図７を用いて説明したように、ＷＬＡＮチャネル７は、ＢＴ通信と自ＷＬＡＮ通信に交互に割り当てられることになる。
【００８３】
なお、本実施の形態では、複合無線装置１が自ＷＬＡＮ通信に使用するＷＬＡＮチャネル７とその上下（周辺）のＦＨチャネルを一定時間ごとに使用可能ＦＨチャネルとしてＢＴ装置１３に割り当てているが、これに限らず、例えば、他ＷＬＡＮシステムが使用中のＷＬＡＮチャネルのチャネル通信品質情報の値が小さい場合には、すなわち他ＷＬＡＮシステムが自システムから離れて存在する等と推定できる場合には、図１２に示すように当該ＷＬＡＮチャネル内のＦＨチャネルを使用可能ＦＨチャネルとして割り当てることもできる。
【００８４】
図１２は、他ＷＬＡＮシステムが使用中のＷＬＡＮチャネル内のＦＨチャネルを使用可能ＦＨチャネルとして割り当てる場合の一例を示す図である。図１２では、図５の構成例を前提とし、自ＷＬＡＮがＷＬＡＮチャネル７を使用し、ＷＬＡＮ＃３、＃４がＷＬＡＮチャネル１を使用し、ＷＬＡＮ＃５、＃６がＷＬＡＮチャネル１３を使用している例を示している。そして、ＷＬＡＮ＃３、＃４、＃５、＃６が複合無線装置１から十分に遠い位置に存在することによりチャネル通信品質情報の値が所定の値より小さくなった場合に、ＷＬＡＮ＃３、＃４、＃５、＃６内のチャネルを使用可能ＦＨチャネル（図１２の斜線のハッチング）として決定した例を示している。
【００８５】
ＢＴ装置１３の周波数ホッピングチャネル決定部１３３は、無線チャネル制御部１４から通知された使用可能ＦＨチャネルを用いて周波数ホッピング通信を行う。また、ＢＴ装置１３の探索用フレーム生成部１３５は、「非探索時」のチャネルマップ（探索用チャネルマップ）または「探索時」のチャネルマップ（探索用拡張チャネルに対応する探索用チャネルマップ）に基づいて探索用フレームを定期的または必要に応じて送信する。
【００８６】
図７の期間Ｔ２のように、リンク管理部１３４は、探索用拡張チャネルに対応して送信された探索フレームにより、ＷＬＡＮ＃１とＷＬＡＮ＃２が存在しなくなった（ＷＬＡＮチャネル１が使用中でなくなった）ことを検出した場合、その旨を無線チャネル制御部１４へ通知する。無線チャネル制御部１４は、その通知に基づいて、ＷＬＡＮチャネル１内のＦＨチャネルを使用可能ＦＨチャネルとして追加し、追加後の使用可能ＦＨチャネルをＢＴ装置１３へ通知する。ＢＴ装置１３の周波数ホッピングチャネル決定部１３３は、ＷＬＡＮチャネル１が追加された後の使用可能ＦＨチャネルを用いて周波数ホッピング通信を行う（図７の期間Ｔ３）。
【００８７】
なお、「探索時」には、探索用拡張チャネルに対応して探索フレームを送信するが、この際探索フレームとして通常の通信や音声通信を割当ててしまうと、データまたは音声フレーム等が他ＷＬＡＮシステムの通信データ等と衝突し、再送が必要になるまたは音声であればノイズが発生する等の場合がある。そのため、探索用拡張チャネルのうち追加されたチャネルについては、探索用フレーム生成部１３５が生成したダミーフレームを送信するようにしてもよい。例えば、Bluetooth（登録商標）のマルチプロファイル機能を利用して、「探索時」には、従来のＳＣＯ（Synchronous  Connection  Oriented）／ｅＳＣＯ（extended  ＳＣＯ）を利用した音声データを生成するとともに探索用のチャネルを用いてＡＣＬによるダミーデータを音声データに重畳させ、探索用拡張チャネルのうち追加されたチャネルに対しては、ダミーデータを送信するようにしても良い。そうすることにより、音声通話に対しては通信品質を確保したまま、周囲の他ＷＬＡＮシステムの存在の有無を確認することが可能となる。
【００８８】
以上のように、複合無線装置１は、他ＷＬＡＮシステム(ＷＬＡＮ＃５、ＷＬＡＮ＃６)が使用していたＷＬＡＮチャネル１３近傍の空き状況を検出し、自システムのＢＴ装置１３に対して不足していた使用可能ＦＨチャネルを拡張することが可能になる。
【００８９】
なお、本実施の形態では、探索用チャネルマップを「非探索時」と「探索時」とで切替え、「探索時」の探索用拡張チャネルに対する探索用フレーム送信の送信結果を元に周囲のＷＬＡＮ装置の通信状況を検出するようにした。すなわち、ＢＴ装置１３のＢＴ通信制御部１３２が、探索用拡張チャネルとして追加したチャネルの通信品質情報を取得する拡張品質情報取得部として機能するようにした。一方、周囲のＷＬＡＮ装置の通信状況の検出方法はこれに限定されない。
【００９０】
例えば、複合無線装置１が、帯域予約フレームを用いて自身の通信帯域の一部をＢＴ装置に割当てている状況で、帯域予約フレーム後のＢＴ通信期間においてＷＬＡＮ装置１２のキャリアセンス部１２２が、無線チャネル制御部１４からの指示によりＷＬＡＮチャネルをスキャンし、スキャン結果を無線チャネル制御部１４に通知し、無線チャネル制御部１４が、スキャン結果に基づいて他ＷＬＡＮ装置が居るかいないかを検出するようにしてもよい。そして、無線チャネル制御部１４は、検出結果により他ＷＬＡＮシステムが存在しないと判断できた際には、使用可能ＦＨチャネルを増加させてＢＴ装置１３に通知する。この場合、キャリアセンス部１２２が拡張品質情報取得部として機能する。
【００９１】
なお、本実施の形態では、ＷＬＡＮ装置１２、ＢＴ装置１３および無線チャネル制御部１４が１つの複合無線装置１に搭載される場合について説明したが、おのおの別の装置として構成されて、近接する場所に設置され、有線等により接続されている構成としてもよい。
【００９２】
このように、本実施の形態では、ＢＴ装置１３とＷＬＡＮ装置１４が近接する場合に、ＢＴ装置１３に割当られた使用可能ＦＨチャネル以外の周波数帯域を探索して、探索結果に基づいて未使用チャネルが存在する場合には、当該未使用チャネルを使用可能ＦＨチャネルに追加するようにした。そのため、ＢＴ装置とＷＬＡＮ装置が近接する場合において、他のＷＬＡＮ装置が移動または電源切断等により存在しなくなった場合に未使用チャネルを有効に活用することができる。さらには、複合無線装置１では、使用可能ＦＨチャネルが不足する場合、自ＷＬＡＮ通信に使用しているＷＬＡＮチャネルの一部の通信時間をＢＴ通信に割当てていたが、上述の使用可能ＦＨチャネルの追加によりＢＴ通信に対して十分にＦＨチャネルが確保できる場合には、自ＷＬＡＮ通信に使用しているＷＬＡＮチャネルをＢＴ通信に割り当てる必要がなく、各々が協調して動作チャネルを住み分けて動作することができ、システムスループットを最大化することができる。
【符号の説明】
【００９３】
１  複合無線装置
１２  ＷＬＡＮ装置
１３  ＢＴ装置
１４  無線チャネル制御部
１２１  ＷＬＡＮ無線部
１２２  キャリアセンス部
１２３  ＷＬＡＮ通信制御部
１２４  アクセス制御部
１３１  ＢＴ無線部
１３２  ＢＴ通信制御部
１３３  周波数ホッピングチャネル決定部
１３４  リンク管理部
１３５  探索用フレーム生成部
１５  カーナビゲーション部
１６  ＷＬＡＮアクセスポイント機能部
１７  携帯電話モジュール
２１  ＷＬＡＮアクセスポイント
２２，２６  携帯端末
２３  ＢＴヘッドセット
２４−１〜２４−４  無線ＬＡＮ端末
２５  持込機器
３０  使用可能ＦＨチャネル
３１  追加ＦＨチャネル
【図１】
2012114937.tif 000003
【図２】
2012114937.tif 000004
【図３】
2012114937.tif 000005
【図４】
2012114937.tif 000006
【図５】
2012114937.tif 000007
【図６】
2012114937.tif 000008
【図７】
2012114937.tif 000009
【図８】
2012114937.tif 000010
【図９】
2012114937.tif 000011
【図１０】
2012114937.tif 000012
【図１１】
2012114937.tif 000013
【図１２】
2012114937.tif 000014
【手続補正書】
【提出日】平成25年3月4日(2013.3.4)
【手続補正２】
【補正対象書類名】明細書
【補正対象項目名】００１８
【補正方法】変更
【補正の内容】
【００１８】
上述した課題を解決し、目的を達成するために、本発明は、複数の第１の周波数帯のうちの選択した第１の周波数帯を用いて無線通信を行う第１の通信装置と、前記第１の周波数帯と重複する利用周波数帯域内の複数の第２の周波数帯を用いて周波数ホッピングにより通信を行う第２の通信装置と、を備える無線通信装置であって、前記複数の第１の周波数帯の通信品質情報に基づいて前記周波数ホッピングに用いることができる第２の周波数帯である使用可能周波数帯を決定する無線チャネル制御部と、該無線チャネル制御部による使用可能周波数帯の決定後、前記複数の第１の周波数帯内であって前記使用可能周波数帯以外の周波数帯である拡張周波数帯の通信品質情報を拡張通信品質情報として取得する拡張品質情報取得部と、を備え、前記無線チャネル制御部は、前記拡張通信品質情報に基づいて未使用と判断した周波数帯を前記使用可能周波数帯として追加し、前記拡張品質情報取得部は、前記拡張周波数帯、前記第２の通信装置のトラフィック量のうち少なくとも１つに基づいて決定した一定周期ごとに、前記拡張品質情報を取得する、ことを特徴とする。
【手続補正３】
【補正対象書類名】特許請求の範囲
【補正対象項目名】全文
【補正方法】変更
【補正の内容】
【特許請求の範囲】
【請求項１】
複数の第１の周波数帯のうちの選択した第１の周波数帯を用いて無線通信を行う第１の通信装置と、前記第１の周波数帯と重複する利用周波数帯域内の複数の第２の周波数帯を用いて周波数ホッピングにより通信を行う第２の通信装置と、を備える無線通信装置であって、
前記複数の第１の周波数帯の通信品質情報に基づいて前記周波数ホッピングに用いることができる第２の周波数帯である使用可能周波数帯を決定する無線チャネル制御部と、
該無線チャネル制御部による使用可能周波数帯の決定後、前記複数の第１の周波数帯内であって前記使用可能周波数帯以外の周波数帯である拡張周波数帯の通信品質情報を拡張通信品質情報として取得する拡張品質情報取得部と、
を備え、
前記無線チャネル制御部は、前記拡張通信品質情報に基づいて未使用と判断した周波数帯を前記使用可能周波数帯として追加し、
前記拡張品質情報取得部は、前記拡張周波数帯、前記第２の通信装置のトラフィック量のうち少なくとも１つに基づいて決定した一定周期ごとに、前記拡張品質情報を取得する、ことを特徴とする無線通信装置。
【請求項２】
前記第２の通信装置が、前記拡張品質情報取得部を備える、
ことを特徴とする請求項１に記載の無線通信装置。
【請求項３】
前記拡張周波数帯を、前記使用可能周波数帯と周波数が重複しない第１の周波数帯の中心周波数に近い１つの第２の周波数帯とする、ことを特徴とする請求項２に記載の無線通信装置。
【請求項４】
前記拡張周波数帯を、前記使用可能周波数帯と周波数が重複しない第１の周波数帯の中心周波数から一定周波数離れた１つの第２の周波数帯とする、ことを特徴とする請求項２に記載の無線通信装置。
【請求項５】
前記拡張周波数帯を、前記使用可能周波数帯と周波数が重複しない第１の周波数帯の中心周波数近傍の２つ以上の第２の周波数帯とする、ことを特徴とする請求項２に記載の無線通信装置。
【請求項６】
前記拡張周波数帯を、全ての第２の周波数帯のうち前記使用可能周波数帯と周波数が重複しない全ての第２の周波数帯とする、ことを特徴とする請求項２に記載の無線通信装置。
【請求項７】
前記拡張品質情報取得部は、前記拡張周波数帯で探索フレームを送信し、前記探索フレームに対する応答に基づいて前記拡張通信品質情報を取得する、ことを特徴とする請求項２〜６のいずれか１つに記載の無線通信装置。
【請求項８】
前記拡張品質情報取得部は、前記拡張周波数帯に対応する前記第１の周波数帯の通信品質情報に基づいて、当該第１の周波数帯を用いた第１の通信に誤りが発生しないと想定される送信電力で前記探索フレームを送信する、ことを特徴とする請求項７に記載の無線通信装置。
【請求項９】
前記拡張品質情報取得部は、一定周期ごとに、所定の時間の間前記拡張通信品質情報を取得可能な探索状態へ移行し、
前記所定の時間を、前記拡張周波数帯、前記第２の通信装置のトラフィック量のうち少なくとも１つに基づいて決定する、ことを特徴とする請求項１〜８のいずれか１つに記載の無線通信装置。
【請求項１０】
前記拡張品質情報取得部は、前記使用可能周波数帯とされた第２の周波数帯の数が所定のしきい値未満となった場合、または前記使用可能周波数帯とされた第２の周波数帯の無線品質が劣化した場合に、前記拡張通信品質情報を取得する、ことを特徴とする請求項１〜９のいずれか１つに記載の無線通信装置。
【請求項１１】
前記拡張品質情報取得部は、前記第１の通信装置が使用している第１の周波数帯の無線通信品質が劣化した場合に前記拡張通信品質情報を取得する、ことを特徴とする請求項１〜９のいずれか１つに記載の無線通信装置。
【請求項１２】
前記第１の通信装置が、前記拡張品質情報取得部を備える、
ことを特徴とする請求項１に記載の無線通信装置。
【請求項１３】
前記無線チャネル制御部は、前記使用可能周波数帯とされた第２の周波数帯の数が所定のしきい値未満の場合、前記第１の通信装置が使用している第１の周波数帯を、前記第１の通信装置と前記第２の通信装置とに交互に割当てることとし、
前記拡張品質情報取得部は、当該第１の周波数帯が前記第２の通信装置に割当てられている時間帯で前記拡張品質情報を取得する、ことを特徴とする請求項１２に記載の無線通信装置。
【請求項１４】
複数の第１の周波数帯を用いて無線通信を行う第１の通信装置と、前記第１の周波数帯と重複する利用周波数帯域内の複数の第２の周波数帯を用いて周波数ホッピングにより通信を行う第２の通信装置と、を備える無線通信システムであって、
前記複数の第１の周波数帯の通信品質情報に基づいて前記周波数ホッピングに用いることができる第２の周波数帯である使用可能周波数帯を決定する無線チャネル制御装置、
を備え、
前記第１の通信装置は、該無線チャネル制御部による使用可能周波数帯の決定後、前記複数の第１の周波数帯内であって前記使用可能周波数帯以外の周波数帯である拡張周波数帯の通信品質情報を拡張通信品質情報として取得する拡張品質情報取得部、を備え、
前記無線チャネル制御部は、前記拡張通信品質情報に基づいて未使用と判断した周波数帯を前記使用可能周波数帯として追加し、
前記拡張品質情報取得部は、前記拡張周波数帯、前記第２の通信装置のトラフィック量のうち少なくとも１つに基づいて決定した一定周期ごとに、前記拡張品質情報を取得する、ことを特徴とする無線通信システム。
【請求項１５】
複数の第１の周波数帯を用いて無線通信を行う第１の通信装置と、前記第１の周波数帯と重複する利用周波数帯域内の複数の第２の周波数帯を用いて周波数ホッピングにより通信を行う第２の通信装置と、を備える無線通信システムであって、
前記複数の第１の周波数帯の通信品質情報に基づいて前記周波数ホッピングに用いることができる第２の周波数帯である使用可能周波数帯を決定する無線チャネル制御装置、
を備え、
前記第２の通信装置は、該無線チャネル制御部による使用可能周波数帯の決定後、前記複数の第１の周波数帯内であって前記使用可能周波数帯以外の周波数帯である拡張周波数帯の通信品質情報を拡張通信品質情報として取得する拡張品質情報取得部、を備え、
前記無線チャネル制御部は、前記拡張通信品質情報に基づいて未使用と判断した周波数帯を前記使用可能周波数帯として追加し、
前記拡張品質情報取得部は、前記拡張周波数帯、前記第２の通信装置のトラフィック量のうち少なくとも１つに基づいて決定した一定周期ごとに、前記拡張品質情報を取得する、ことを特徴とする無線通信システム。
【国際調査報告】
2012114937.tif 000015
2012114937.tif 000016